(57)【特許請求の範囲】
【請求項１】
固定枠体に固着され、前記固定枠体の正面と平行に円筒形状のロック部材を有する受座と、扉に固着される固定ベースに前記扉の正面と平行な軸を介して枢支され、前記扉の正面に対して直角な面内において所定の倒伏位置と所定の引き起こし位置との間で回転可能な操作ハンドル、及び前記操作ハンドルの回動により前記受座のロック部材に係脱可能なロックレバーとを備え、前記操作ハンドルを前記倒伏位置に回転操作することにより、前記ロックレバーが前記受座のロック部材に係合して、前記扉を前記固定枠体に対して錠止し、前記操作ハンドルを前記引き起こし位置に回転操作することにより、前記ロックレバーが前記受座のロック部材から離脱して、前記扉を前記固定枠体に対して解錠する扉用ハンドルにおいて、
前記ロックレバーは、前記受座のロック部材に係合可能な円弧形状のロック溝と、前記ロック溝から湾曲形状に延び、前記操作ハンドルの前記引き起こし位置から前記倒伏位置への回転操作により、前記ロック部材上を摺動して前記ロック溝を前記ロック部材へ係合案内するとともに、前記扉を前記固定枠体に呼込んで引き寄せるロックガイドとを具備し、
前記受座は表面にカバーが被着され、前記受座と前記カバーは前記操作ハンドルの固定ベースとの対向面で固定されるとともに、前記固定ベースの表面にカバーが被着され、前記固定ベースと前記カバーは前記受座との対向面で固定される、
ことを特徴とする扉用ハンドル。
【請求項２】
ロックレバーは操作ハンドルに一体に形成される請求項１に記載の扉用ハンドル。
【請求項３】
固定ベースと操作ハンドルとの間に、操作ハンドルの所定の倒伏位置及び所定の引き起こし位置で前記操作ハンドルを位置決め保持するディテント装置を備える請求項１又は２に記載の扉用ハンドル。
【請求項４】
固定ベースに、操作ハンドルの所定の倒伏位置で前記操作ハンドルの倒伏方向の回転を規制するストッパを備える請求項１乃至３のいずれかに記載の扉用ハンドル。
【請求項５】
固定ベースに、操作ハンドルの所定の引き起こし位置で前記操作ハンドルの引き起こし方向の回転を規制するストッパを備える請求項１乃至４のいずれかに記載の扉用ハンドル。
【請求項６】
固定ベースに、操作ハンドルの所定の倒伏位置で前記操作ハンドルの回転をロックする錠前ユニットを備える請求項１乃至５のいずれかに記載の扉用ハンドル。
【請求項７】
ロック部材は円筒形のローラにより形成される請求項１乃至６のいずれかに記載の扉用ハンドル。
【請求項８】
受座に前後方向の位置を調整可能に突設された一対のアームを有し、ロック部材は前記各アームの先端間に取り付けられる請求項１乃至７のいずれかに記載の扉用ハンドル。
【請求項９】
固定ベースと受座の相互の対向面の間に、前記固定ベースを前記受座に向けて案内し、所定の態様に位置決めするガイドを備える請求項１乃至８のいずれかに記載の扉用ハンドル。
【請求項１０】
固定ベースと受座の相互の対向面にそれぞれ、南京錠のかんぬき部分が挿通可能なロック穴を備える請求項１乃至９のいずれかに記載の扉用ハンドル。
【発明の詳細な説明】
【技術分野】
【０００１】
本発明は、扉の開閉に使用する扉用ハンドルに関し、特に扉の密閉に優れた扉用ハンドルに関する。
【背景技術】
【０００２】
従来、この種の扉用ハンドルは、固定枠体に固着される受座と、扉に固定ベースを介して取り付けられる操作ハンドル及びロックレバーとを備える。受座は、取付ベースと、取付ベースに突設された一対のアームと、これらのアーム間に設けられたロック部材とからなり、取付ベースにより固定枠体に固着され、ロック部材が固定枠体の正面と平行に設置される。操作ハンドルは固定ベースに扉の正面と平行な支軸を介して枢支され、扉の正面に対して直角な面内において所定の倒伏位置と所定の引き起こし位置との間で回動可能に取り付けられる。ロックレバーはフック形状に形成されて、先端側に略円弧状のロック溝が設けられる。このロックレバーは固定ベースに扉の正面と平行な支軸を介して枢支され、操作ハンドルの回転操作により、受座のロック部材に係脱可能に構成される。このようにして操作ハンドルを所定の倒伏位置に回動操作することにより、ロックレバーのロック溝が受座のロック部材に係合して、扉を固定枠体に対して錠止し、反対に、操作ハンドルを所定の引き起こし位置に回動操作することにより、ロックレバーのロック溝が受座のロック部材から離脱して、扉を固定枠体に対して解錠するようになっている。この種の扉用ハンドルは特許文献１に記載されているので、参照されたい。
【０００３】
【特許文献１】特開平１１−２８７０６０号公報
【発明の開示】
【発明が解決しようとする課題】
【０００４】
ところで、この種の扉用ハンドルは密閉式の扉に使用され、扉を閉めるときに、扉と固定枠体との間に介在されるパッキンを圧縮し、操作ハンドルを回動操作することにより、ロックレバーを受座に係合させて、このロックレバーと受座との係合によりパッキンの圧縮状態を保持し、扉を固定枠体に密閉するようになっている。しかしながら、従来の扉用ハンドルでは、操作ハンドルの回転操作により、ロックレバーのロック溝を受座のロック部材に回転方向から係合させるため、パッキンを圧縮した状態でロックレバーを受座に係合させるには、扉を勢いよく強く閉めて、扉を固定枠体に強く押付けた状態で操作ハンドルを回動操作しなければならず、簡易な操作性を得難い、という問題がある。また、このように扉を強く閉めて固定枠体に押付けるだけでは、パッキンの弾性復帰により、パッキンを確実に圧縮することが難しく、扉を完全に密閉することは難しい、という問題がある。さらに、このようにロックレバーのロック溝を受座のロック部材に対して単に回転方向から係合させる構造では、ロックレバーのロック溝と受座のロック部材が近接していないと、ロックレバーを受座に係合させることができない、という問題がある。また、従来の扉用ハンドルの場合、受座が固定枠体に取付ねじで固着され、また、固定ベースが扉に取付ねじで固着されて、この取付ねじが外部に露出するため、見栄えが悪く、また、取付ねじの取付位置にごみが付着しやすく、掃除がし難いという問題がある。
【０００５】
本発明は、このような従来の問題を解決するものであり、ロックレバーの新たな機能形状により、簡易な操作で、ロックレバーのロック溝と受座のロック部材が近接していなくても、ロックレバーのロック溝を受座のロック部材に確実に係合案内してロック溝をロック部材に係合させるとともに、扉を固定枠体に呼込んで、扉と固定枠体との間に介在されるパッキンを確実に圧縮し、扉を完全に密閉すること、併せて外部から取付ねじを見えないようにして、見栄え及び掃除の利便性の向上を図ること、などを目的とする。
【課題を解決するための手段】
【０００６】
上記目的を達成するために、本発明の扉用ハンドルは、固定枠体に固着され、前記固定枠体の正面と平行に円筒形状のロック部材を有する受座と、扉に固着される固定ベースに前記扉の正面と平行な軸を介して枢支され、前記扉の正面に対して直角な面内において所定の倒伏位置と所定の引き起こし位置との間で回転可能な操作ハンドル、及び前記操作ハンドルの回動により前記受座のロック部材に係脱可能なロックレバーとを備え、前記操作ハンドルを前記倒伏位置に回転操作することにより、前記ロックレバーが前記受座のロック部材に係合して、前記扉を前記固定枠体に対して錠止し、前記操作ハンドルを前記引き起こし位置に回転操作することにより、前記ロックレバーが前記受座のロック部材から離脱して、前記扉を前記固定枠体に対して解錠する扉用ハンドルにおいて、前記ロックレバーは、前記受座のロック部材に係合可能な円弧形状のロック溝と、前記ロック溝から湾曲形状に延び、前記操作ハンドルの前記引き起こし位置から前記倒伏位置への回転操作により、前記ロック部材上を摺動して前記ロック溝を前記ロック部材へ係合案内するとともに、前記扉を前記固定枠体に呼込んで引き寄せるロックガイドとを具備し、前記受座は表面にカバーが被着され、前記受座と前記カバーは前記操作ハンドルの固定ベースとの対向面で固定されるとともに、前記固定ベースの表面にカバーが被着され、前記固定ベースと前記カバーは前記受座との対向面で固定される、ことを要旨とする。
【０００７】
また、本発明の扉用ハンドルは次のように具体化される。第１に、ロックレバーは操作ハンドルに一体に形成される。第２に、固定ベースと操作ハンドルとの間に、操作ハンドルの所定の倒伏位置及び所定の引き起こし位置で前記操作ハンドルを位置決め保持するディテント装置を備える。第３に、固定ベースに、操作ハンドルの所定の倒伏位置で前記操作ハンドルの倒伏方向の回転を規制するストッパを備える。第４に、固定ベースに、操作ハンドルの所定の引き起こし位置で前記操作ハンドルの引き起こし方向の回転を規制するストッパを備える。第５に、固定ベースに、操作ハンドルの所定の倒伏位置で前記操作ハンドルの回転をロックする錠前ユニットを備える。第６に、ロック部材は円筒形のローラにより形成される。第７に、受座に前後方向の位置を調整可能に突設された一対のアームを有し、ロック部材は前記各アームの先端間に取り付けられる。第８に、固定ベースと受座の相互の対向面の間に、前記固定ベースを前記受座に向けて案内し、所定の態様に位置決めするガイドを備える。第９に、固定ベースと受座の相互の対向面にそれぞれ、南京錠のかんぬき部分が挿通可能なロック穴を備える。
【発明の効果】
【０００８】
本発明の扉用ハンドルによれば、ロックレバーに、受座のロック部材に係合可能な円弧形状のロック溝と、このロック溝から湾曲形状に延び、操作ハンドルの所定の引き起こし位置から所定の倒伏位置への回動操作により、ロック部材上を摺動してロック溝をロック部材へ係合案内するとともに、扉を固定枠体に呼込んで引き寄せるロックガイドとを具備する新たな機能形状により、扉を固定枠体に対して当接させ、又は近接させた状態から（この場合、ロックレバーのロック溝が受座のロック部材に対して近接していなくても）、操作ハンドルを回動する簡易な操作で、ロックレバーのロック溝を受座のロック部材に確実に係合案内してロック溝をロック部材に係合させるとともに、同時に扉を固定枠体に呼込んで、扉と固定枠体との間に介在されるパッキンを確実に圧縮し、扉を完全に密閉することができる。
また、この扉用ハンドルでは、受座の表面にカバーが被着され、受座とカバーが操作ハンドルの固定ベースとの対向面で固定されるとともに、固定ベースの表面にカバーが被着され、固定ベースとカバーが受座との対向面で固定されるので、受座、固定ベースの外部から取付ねじを見えないようにして、見栄え及び掃除の利便性の向上を図ることができる。
【０００９】
そして、この扉用ハンドルの場合、ロックレバーが操作ハンドルに一体に形成されるので、この扉用ハンドルの構造それ自体を簡易にすることができる。また、固定ベースと操作ハンドルとの間に、操作ハンドルの所定の倒伏位置及び所定の引き起こし位置で操作ハンドルを位置決め保持するディテント装置を備えるので、操作ハンドルの所定の倒伏位置及び所定の引き起こし位置で、操作ハンドルを確実に保持することができ、併せて、操作ハンドルの操作においてクリック感があり、操作ハンドルの操作性を向上させることができる。さらに、固定ベースに、操作ハンドルの所定の倒伏位置で操作ハンドルの倒伏方向の回転を規制するストッパを備えるので、操作ハンドルを所定の倒伏位置で確実に停止させ、ディテント装置とともに操作ハンドルを確実に保持することができる。またさらに、固定ベースに、操作ハンドルの所定の引き起こし位置で操作ハンドルの引き起こし方向の回転を規制するストッパを備えるので、操作ハンドルを所定の引き起こし位置で確実に停止させ、ディテント装置とともに操作ハンドルを確実に保持することができる。またさらに、固定ベースに、操作ハンドルの所定の倒伏位置で操作ハンドルの回転をロックする錠前ユニットを備えるので、操作ハンドルを所定の倒伏位置でロックして、扉の閉状態を確実に保持することができる。また、ロック部材は円筒形のローラにより形成されるので、操作ハンドルの回転操作が滑らかで、特に、扉を密閉するときに、操作ハンドルの回動操作による扉の固定枠体への呼込みを容易に行え、扉と固定枠体との間のパッキンを十分に潰すまで圧縮して、扉を確実に密閉することができる。さらに、受座に前後方向の位置を調整可能に突設された一対のアームを有し、ロック部材は各アームの先端間に取り付けられるので、一対のアームの突出量を調整して、ロック部材を固定枠体の適宜の位置に設置することができる。また、固定ベースと受座の相互の対向面の間に、固定ベースを受座に向けて案内し、所定の態様に位置決めするガイドを備えるので、扉を固定枠体に呼込んで引き寄せる際に、固定ベースを受け座に確実に対向させることができる。さらに、固定ベースと受座の相互の対向面にそれぞれ、南京錠のかんぬき部分が挿通可能なロック穴を備えるので、これらのロック穴に南京錠のかんぬき部分を通し、この南京錠で固定ベースと受座の間を施錠することにより、既述の錠前ユニットに代えて、又はこの錠前ユニットとともに、扉の閉状態を確実に保持することができる。
【発明を実施するための最良の形態】
【００１０】
以下、本発明の一実施の形態について図を用いて説明する。図１は扉用ハンドルの一部破断側面図、図２は同ハンドルの側面断面図である。図３は扉用ハンドルの特に受座の右側面図、図４は同受座の正面図である。図５は扉用ハンドルの特に固定ベース、操作ハンドルの正面図、図６は同固定ベース、同操作ハンドル、及びロックレバーの一部破断背面図である。
【００１１】
図１及び図２に示すように、扉用ハンドル１は、固定枠体に固着される受座２と、扉に固定ベース３が固着され、この固定ベース３を介して取り付けられる操作ハンドル４、及びロックレバー５とを備えて構成される。
【００１２】
図１、図２及び図３に示すように、受座２は、取付ベース２１と、この取付ベース２１に前方に向けて突設された一対のアーム２２、２２と、これらのアーム２２、２２間に回転可能に取り付けられたロック部材２３と、これら取付ベース２１及び一対のアーム２２を覆うカバー２４とを備える。
【００１３】
図２、図３及び図４に示すように、取付ベース２１は、縦方向に長い断面略コ字形の本体部２１１と、本体部２１１の左右両側面に連続して上下方向に延びる左側部２１８及び右側部２１９とを有する。これら各部について見ていくと、図２に示すように、本体部２１１は内側が断面コ字形に形成されて、一対のアーム２２、２２が嵌合可能な取付凹部２１２になっている。本体部２１１の外側は上部２１３の上面２１３Ｕ及び下部２１４の下面２１４Ｄと後部２１５の背面２１５Ｂとの間にＲが付けられて断面略Ｃ字形に形成され、外形に意匠的美観が付与されている。この本体部２１１の場合、上部２１３及び下部２１４は後部２１５に比べて少し肉厚の断面長方形に形成され、これら上部２１３及び下部２１４の正面２１３Ｆ、２１４Ｆの中心にそれぞれ、カバー２４を固定するねじＳ１、Ｓ１を螺着するためのねじ穴２１３ｈ、２１４ｈが設けられる。また、この本体部２１１の場合、上部２１３の正面２１３Ｆ上側及び下部２１４の正面２１４Ｆ下側にそれぞれ少し前方に突出して段差を付け、上方及び下方に向けて直角に延びる延長上部２１６及び延長下部２１７とを具備する。図４に示すように、これらの延長上部２１６及び延長下部２１７はそれぞれ、矩形状に形成され、後述する左右両側部２１８、２１９の間に連続的に形成される。延長上部２１６に、後述する固定ベース３側のガイドピン３１３ｇに係合可能なガイド穴２１６ｇが水平方向に向けて形成され、これらガイドピン３１３ｇとガイド穴２１６ｇとの係合案内により、固定ベース３（の受座２に対する対向面）を受座２（の固定ベース３に対する対向面）に向けて案内し、所定の対向位置に平行に位置決めするようになっている。延長下部２１７に、南京錠のかんぬき部分が挿通可能なロック穴２１７Ｎが水平方向に向けて形成され、固定ベース３と受座２との間に南京錠６のかんぬき部分６１（図１４参照）を通し、ロックするようになっている。図２及び図４に示すように、左側部２１８は、この場合、取付ベース２１の取付面で、正面２１８Ｆ側の縁部が本体部２１１の左側側面の正面側の外形に対応し、かつ左側の開口面２１２Ｌ（取付凹部２１２の左側の開口面）の後部２１５側の半面程度が閉塞される段差形状で、背面２１８Ｂ側の縁部が本体部２１１の延長上部２１６の上端から後部２１５の背面２１５Ｂに沿って延長下部２１７の下端まで結ぶ曲線形状の、全体が平面状に形成される。そして、この左側部２１８には、本体部２１１の左側の開口面２１２Ｌを覆う閉塞部分の内側面に、一対のアーム２２、２２を固定するためのアーム固定部２１２Ａが設けられ、この場合、当該内側面が水平断面三角形の凹凸形状に形成され、当該内側面の上下所定の位置に調整ねじＳ２を螺着するための２つのねじ穴２１２ｈ、２１２ｈが形成される。図３及び図４に示すように、右側部２１９は、正面２１９Ｆ側の縁部が本体部２１１の右側側面の正面側の外形に一致する段差形状で、背面２１９Ｂ側の縁部が本体部２１１の延長上部２１６の上端から後部２１５の背面２１５Ｂに沿って延長下部の２１７下端まで結ぶ曲線形状の、平面状に形成される。また、この右側部２１９の場合、（正面２１９Ｆ側の縁部と背面２１９Ｂ側の縁部に囲まれた）表面に、カバー２４が嵌合可能な浅い凹部２２０が形成される。この場合、凹部２２０は背面２１９Ｂ側の縁部（曲線形状の縁部）を所定の幅だけ残してその内側の面全体に形成される。このようにして形成された左側部２１８及び右側部２１９間には、上側及び下側の所定の位置に、左側部２１８、本体部２１１、右側部２１９を貫通して、取付ねじを挿通するための取付穴ｈ１、ｈ２が穿設される。
【００１４】
図２、図３及び図４に示すように、一対のアーム２２、２２は前方に向けて略放物線形状に突出する２つのアームプレート２２Ｐ、２２Ｐからなり、その先端にロック部材２３を支持するための軸受２２１、２２１が形成される。この場合、２つのアームプレート２２Ｐ、２２Ｐはアーム取付部材２２２と一体に形成される。アーム取付部材２２２は支持プレート２２３と取付プレート２２４とを有する。支持プレート２２３は上下方向に長い長方形のプレートで、この支持プレート２２３の正面の左右両側に２つのアームプレート２２Ｐ、２２Ｐが前方に向けて一体に形成される。取付プレート２２４は支持プレート２２３の背面に後方に向けて突出され、取付ベース２１の取付凹部２１２に嵌合可能な大きさ及び形状を有するプレートで、当該取付凹部２１２内のアーム固定部２１２Ａに対向する一方の側面がアーム固定部２１２Ａの凹凸形状に噛合可能な水平断面三角形の凹凸形状に形成され、また、その上側及び下側の所定の位置に、両側面間を貫通して、アーム固定部２１２Ａの各ねじ穴２１２ｈ、２１２ｈに対応する前後方向に長い長穴２２５、２２５が２つ設けられる。このようにして一対のアーム２２、２２は、アーム取付部材２２２が取付ベース２１の取付凹部２１２に嵌め込まれ、両者間の凹凸形状が噛み合わされるとともに、両者間の各長穴２２５、２２５と各ねじ穴２１２ｈ、２１２ｈとを合わせて調整ねじＳ２、Ｓ２が通され締め込まれて、取付ベース２１に固定される。これにより、一対のアーム２２、２２は取付ベース２１に（前方に向けて）突出して取り付けられる。なお、アーム取付部材２２２の凹凸形状とアーム固定部２１２Ａの凹凸形状との噛み合わせ位置を変え（前後方向にずらし）、アーム取付部材２２２の各長穴２２５、２２５と取付ベース２１の各ねじ穴２１２ｈ、２１２ｈとの位置を調整することで、取付ベース２１から一対のアーム２２、２２の突出位置（前後方向の位置）を調整することができる。
【００１５】
図２及び図４に示すように、ロック部材２３は円筒状のシャフト２３１上に円筒状のローラ２３２が取り付けられて全体が円筒形状に形成される。このロック部材２３は一対のアーム２２、２２の先端部間に軸受２２１、２２１を介して回転可能に取り付けられる。
【００１６】
図１、図３及び図４に示すように、カバー２４は受け座２の右側部２１９の表面に形成された凹部２２０に嵌合可能に形成される。この場合、カバー２４は右側部２１９の曲線形状の縁部とともに、右側部２１９の凹部２２０と右側の開口面２１２Ｒ全体を被覆可能に、右側部２１９の曲線形状の縁部に沿う曲線と、本体部２１１の延長上部２１６の正面及び延長下部２１７の正面を結ぶ仮想直線で囲まれた形状の略平面状に形成され、右側部２１９の形状とともに外形に意匠的美観が付与される。また、このカバー２４の内側には、図４に示すように、（このカバー２４を凹部２２０に嵌め合わせたときに）本体部２１１の上部正面２１３Ｆ及び下部正面２１４Ｆに対応する位置にそれぞれ、これら上部正面２１３Ｆ及び下部正面２１４Ｆの前方に突出する固定部２４１、２４２が設けられ、これらの固定部２４１、２４２に上部正面２１３Ｆ及び下部正面２１４Ｆの各ねじ穴２１３ｈ、２１４ｈに対向するねじ挿通穴２４１ｈ、２４２ｈが形成される。このカバー２４は、取付ベース２１が固定枠体に取り付けられた後、取付ベース２１の右側部２１９（の凹部２２０）に一体的に被着され、上下の各固定部２４１、２４２のねじ挿通穴２４１ｈ、２４２ｈからねじＳ１、Ｓ１が通されて、取付ベース２１の（本体部２１１の）各ねじ穴２１３ｈ、２１４ｈに締結されて固定される。このカバー２４により、図１に示すように、取付ベース２１の右側部２１９、及びロック部材２３を有する先端側を除く一対のアーム２２、２２が被覆されて、外部に現れることがなく、外形に意匠的美観を呈するものとなる。なお、一対のアーム２２、２２の先端側及びロック部材２３は、受座２の前方に突出されるが、アーム２２の先端及びロック部材２３は、扉を固定枠体に対して錠止するときに、扉側の固定ベース３内に入り込むので、外部に現れることがなく、全体として、外形の意匠的美観は維持される。
【００１７】
このようにして構成された受座２は、固定枠体にスペーサを介して固着される。この場合、取付ベース２１、一対のアーム２２、２２、ロック部材２３が既述のとおりに組み立てられて、まず、取付ベース２１の右側方から２本の取付ねじが右側部２１９の上下の各取付穴ｈ１、ｈ２に通され、スペーサを通し、固定枠体に締め込まれて、取付ベース２１が固定枠体に固着される。そして、この取付ベース２１の右側部２１９の凹部２２０にカバー２４が被着される。このカバー２４は、操作ハンドル４の固定ベース３との対向面となる正面から、ねじＳ１、Ｓ１がカバー２４の各固定部２４１、２４２のねじ挿通穴２４１ｈ、２４２ｈを通して取付ベース２１の各ねじ穴２１３ｈ、２１４ｈに締結されて、取付ベース２１に固定される。この取り付けにより、一対のアーム２２、２２は受座２の前方に突出され、これらアーム２２、２２間のロック部材２３が固定枠体の正面と平行に設置される。
【００１８】
図１、図２、図５及び図６に示すように、固定ベース３は、ベース本体３１と、カバー３２とを備える。
【００１９】
図２に示すように、ベース本体３１は縦方向に長い断面略Ｃ字形の本体部３１１と、本体部３１１の左右両側に連続して下方向に延びる断面略Ｃ字形の左側部３１８及び右側部３１９とを有し、本体部３１１の前部３１２の上半部及び後方の上下方向中間部が開口されて、これら開口３１５、３１６間にロックレバー５が回動可能な空間３１０が形成される。これら各部について見ていくと、本体部３１１の内側形状は上部３１３の下面３１３Ｄ及び下部３１４の上面３１４Ｕが水平で前部３１２の背面３１２Ｂが垂直にそれぞれ形成され、下部３１４の上面３１４Ｕと前部３１２の背面３１２Ｂとの間にＲが付けられる。本体部３１１の外側形状は上部３１３の上面３１３Ｕが円弧状に形成され、前部３１２の正面３１２Ｆから下部３１４の下面３１４ＤにかけてＲを付けた略Ｌ字形に形成されて、外形に意匠的美観が付与される。この本体部３１１の場合、上部３１３は特に肉厚の断面長方形に形成され、下部３１４もまた断面長方形に形成される。上部３１３の背面３１３Ｂの下側中央と下部３１４の背面３１４Ｂの中心に、カバー２４を固定するねじＳ３、Ｓ３を螺着するためのねじ穴３１３ｈ、３１４ｈが設けられ、さらに、上部３１３の背面３１３Ｂの上側中央にガイドピン３１３ｇが水平に取り付けられて、後方に向けて突出される。また、前部３１２の開口上縁部３１５ｕは外側から内側に向けて下方傾斜の曲面形状に形成され、内側で上部３１３の水平の下面３１３Ｄに連続する。このようにして開口上縁部３１５ｕは操作ハンドル４の所定の倒伏位置のストッパ３１Ａをなし、操作ハンドル４の倒伏方向の回動を規制し、また上部３１３の下面３１３Ｄは操作ハンドル４の所定の引き起こし位置のストッパ３１Ｂをなし、操作ハンドル４の引き起こし方向の回動を規制する。これに対して、前部３１２の開口下縁部３１５ｄは外側から内側に向けて緩やかな下方傾斜の曲面と平面とにより形成され、後述する操作ハンドル４の下端形状に対応して、操作ハンドル４の回動範囲内で、この下端形状が回動可能になっている。また、この本体部３１１の場合、図５に示すように、前部３１２の開口３１５の下部に略円筒形に貫通穴３３０が形成され、この貫通穴３３０に錠前ユニット３３が装着される。この錠前ユニット３３は、所定のキー３３１で回転可能なロータ３３２と、ロータ３３２の内側端にロータ３３２の軸方向に対して直角に固定されてロータ３３２と一体に回転可能なロータカム３３３とを有し、所定のキー３３１によりロータ３３２を所定の方向に回動させると、ロータカム３３３が固定ベース３の空間３１０内で所定の倒伏位置の操作ハンドル４の引き起こし方向の回動を規制するロック位置に突出して、操作ハンドル４をロック（施錠）し、ロータ３３２を反対方向に回転させると、ロータカム３３３が固定ベース３の空間３１０内で操作ハンドル４の回動を許容するアンロック位置に反転されて、操作ハンドル４のロックを解除（解錠）する。さらに、この本体部３１１の場合、下部３１４の下面３１４Ｄの背面３１４Ｂ側端部に下方に向けて直角に延びる延長下部３１７を具備する。この場合、図５に示すように、延長下部３１７は矩形状に形成され、左右の両側部３１８、３１９の間に連続的に形成される。この延長下部３１７には、ロック穴３１７Ｎが水平方向に向けて形成され、受座２の延長下部２１７のロック穴２１７Ｎに対向して、既述のとおり、固定ベース３と受座２との間に南京錠（のかんぬき部分）を通し、ロックするようになっている。図２及び図６に示すように、左側部３１８及び右側部３１９はそれぞれ、内側が断面コ字形に形成され、外側が断面Ｃ字形に形成される。この場合、（両側部３１８、３１９の）上部３１８Ｕ、３１９Ｕは本体部３１１の上部３１３の側面形状と同じ大きさ、形状に形成される。（両側部３１８、３１９の）上下方向中間部３１８Ｃ、３１９Ｃは本体部３１１の側面形状よりも少し幅広で、本体部３１１の各側面形状を開口３１５部分を含めて、前部３１２の正面３１２Ｆ側の外形に沿って覆う形状に形成される。なお、この中間部３１８Ｃ、３１９Ｃの幅広形状により、本体部３１１の左右の開口面３１Ｌ、３１Ｒ（本体部３１１の上部３１３、前部３１２、下部３１４に囲まれた左右の開口面３１Ｌ、３１Ｒ）の前部３１２側の半面近くが被覆された状態となり、これにより、錠前ユニット３３などの本体部３１１内部の構造が隠蔽され、また、後述するように、固定ベース３と操作ハンドル４との間にディテント装置３４を設置することができる。（両側部３１８、３１９の）下部３１８Ｄ、３１９Ｄは上下方向中間部３１８Ｃ、３１９Ｃに連続して、上部３１８Ｕ、３１９Ｕと対称な形状に形成される。この下部３１８Ｄ、３１９Ｄは、上部３１８Ｕ、３１９Ｕと対称に形成されることで、本体部３１１の下部３１４の側面形状よりも徐々に幅広になるため、その分だけ本体部３１１の下部３１４の下方に延ばされ、その延出端が既述の延長下部３１７と連続的に形成され、外形に意匠的美観が付与される。また、この場合、左側部３１８は、受座２と同様に、固定ベース３の取付面で、全体が平面状に形成される。一方、右側部３１９は、受座２と同様に、（正面側の縁部と背面側の縁部に囲まれた）表面に、カバー３２が嵌合可能な浅い凹部３２０が形成される。この場合、凹部３２０は正面側の縁部（Ｃ字形の曲線形状の縁部）を所定の幅だけ残してその内側の面全体に形成される。このようにして形成された左側部３１８及び右側部３１９間には、本体部３１１の上部３１３及び下部３１４に当たる上側及び下側の所定の位置に、左側部３１８、本体部３１１、右側部３１９を貫通して、取付ねじを挿通するための取付穴ｈ３、ｈ４が穿設される。また、本体部３１１の開口３１５の下部側に当たる上下方向中間の所定の位置に、操作ハンドル４の回動中心が設定されて軸受３０Ｂ、３０Ｂが設けられる。この軸受３０Ｂ、３０Ｂに主軸４１を介して操作ハンドル４が軸支される。さらに、この操作ハンドル４の回動中心に近接して左右両側部３１８、３１９の内側に、ディテント装置３４の一方を構成するディテント溝３４１ａ、３４１ｂが設けられる。この場合、ディテント溝３４１ａ、３４１ｂは操作ハンドル４の回動中心の周囲で、操作ハンドル４を所定の倒伏位置に位置決めするための所定の位置と、操作ハンドル４を所定の引き起こし位置に位置決めするための所定の位置に、円形の凹状に形成される。
【００２０】
図１及び図６に示すように、カバー３２はベース本体３１の右側部３１９の表面に形成された凹部３２０に嵌合可能に形成される。この場合、カバー３２は右側部３１９の曲線形状の縁部とともに、右側部３１９の凹部３２０と開口面３１Ｒ全体を被覆可能に、右側部３１９の曲線形状の縁部に沿う曲線と、本体部３１１の上部３１３の背面３１３Ｂ及び延長下部３１７の背面３１７Ｂを結ぶ仮想直線で囲まれた形状の略平面状に形成され、右側部３１９の形状とともに外形に意匠的美観が付与される。また、このカバー３２の内側には（このカバー３２を凹部３２０に嵌め合わせたときに）本体部３１１の上部３１３の背面３１３Ｂ及び下部３１４の背面３１４Ｂに対応する位置にそれぞれ、これら上部３１３の背面３１３Ｂ及び下部３１４の背面３１４Ｂの前方に突出する固定部３２１、３２１が設けられ、これらの固定部３２１、３２１に上部３１３の背面３１３Ｂ及び下部３１４の背面３１４Ｂの各ねじ穴３１３ｈ、３１４ｈに対向するねじ挿通穴３２１ｈ、３２１ｈが形成される。このカバー３２は、固定ベース３が扉に取り付けられた後、固定ベース３の右側部３１９（の凹部３２０）に一体的に被着され、上下の各固定部３２１、３２１のねじ挿通穴３２１ｈ、３２１ｈからねじＳ３、Ｓ３が通されて、固定ベース３１の（本体部３１１の）各ねじ穴３１３ｈ、３１４ｈに締結されて固定される。このカバー３２により、固定ベース３の右側部３１９、及び先端側を除くロックレバー５が被覆されて、外部に現れることがなく、外形に意匠的美観を呈するものとなる。なお、ロックレバー５の先端側は、固定ベース３の後方に突出されるが、このロックレバー５の先端側は、扉を固定枠体に対して錠止するときに、固定枠体側の受座２内に入り込むので、外部に現れることがなく、全体として、外形の意匠的美観は維持される。
【００２１】
図２、図５及び図６に示すように、操作ハンドル４は、先端が扉側に若干傾斜された略棒状に形成され、基端はベース本体３１の前部３１２の開口下縁部３１５ｄに対応する形状になっている。図２及び図６に示すように、ロックレバー５は、操作ハンドル４の基端側に一体に形成される。このロックレバー５は操作ハンドル４の背面の基端側に略鉤形に突出形成されるフック形状部５１と、このフック形状部５１の終端から延び、略鎌形に形成されるカマ形状部５２とを有する。この場合、フック形状部５１の下縁部には受座２のロック部材２３に係合可能な円弧形状のロック溝５１０が形成され、また、フック形状部５１の上縁部は操作ハンドル４に近接する基部側が、操作ハンドル４が所定の倒伏位置にある場合に、ベース本体３１の前部３１２の開口上縁部３１５ｕ、すなわちストッパ３１Ａに対応する曲面形状になっている。また、このフック形状部５１には、操作ハンドル４の回動支点の周囲所定の位置、すなわち、操作ハンドル４を所定の倒伏位置に回転操作したときに、ベース本体３１の操作ハンドル４を所定の倒伏位置に位置決めするためのディテント溝３４１ａに対向し、操作ハンドル４を所定の引き起こし位置に回転操作したときに、ベース本体３１の操作ハンドル４を所定の引き起こし位置に位置決めするためのディテント溝３４１ｂに対向する位置に、貫通穴５１１が形成されて、この貫通穴５１１の両側の開口にディテント装置３４の他方をなすディテントボール３４２がディテントスプリング３４３により外側に付勢された状態に配置され、左右の開口からディテントボール３４２の球面の一部が突出される。カマ形状部５２の下縁部にはフック形状部５１のロック溝５１０から湾曲形状に延び、受座２のロック部材２３上を摺動してロック溝５１０をロック部材２３へ係合案内するロックガイド５２１が形成される。さらに、フック形状部５１とカマ形状部５２の中間上縁部は固定ベース３の上部３１３の下面３１３Ｄ、すなわちストッパ３１Ｂに対応する平面形状になっている。この操作ハンドル４は基端側が固定ベース３の前部３１２の開口３１５を通して、固定ベース３の左右両側部３１８、３１９の軸受３０Ｂ、３０Ｂ間に主軸４１を介して回動可能に取り付けられ、操作ハンドル４の基端側に一体に形成されたロックレバー５が固定ベース３の空間３１０内に回動可能に組み込まれる。
【００２２】
このようにして固定ベース３に操作ハンドル４及びロックレバー５が取り付けられ、この固定ベース３が扉にスペーサを介して固着される。この場合、図２を参照すると、固定ベース３の側方から２本の取付ねじが上下の各ねじ挿通穴ｈ３、ｈ４に通され、スペーサを通し、扉に締め込まれて、固定ベース３が扉に固着される。そして、図１に示すように、この固定ベース３の右側部３１９の凹部３２０にカバー３２が被着される。この場合、カバー３２は、図６に示すように、受座２の取付ベース２１との対向面となる背面から、ねじＳ３、Ｓ３がカバー２４の各固定部３２１、３２１のねじ挿通穴３２１ｈ、３２１ｈを通して固定ベース３の各ねじ穴３１３ｈ、３１４ｈに締結されて、固定ベース３に固定される。この取り付けにより、扉に固着された固定ベース３に操作ハンドル４が扉の正面と平行な主軸４１を介して、扉の正面に対して直角な面内において所定の倒伏位置と所定の引き起こし位置との間で回転可能に枢支され、この操作ハンドル４の回動によりロックレバー５が受座２のロック部材２３に係脱される。この場合、操作ハンドル４を所定の引き起こし位置から所定の倒伏位置へ回動操作することにより、ロックレバー５のカマ形状部５２のロックガイド５２１が受座２のロック部材２３上を摺動してフック形状部５１のロック溝５１０をロック部材２３へ係合案内するとともに、扉を固定枠体に呼込んで引き寄せながら、ロック溝５１０をロック部材２３に係合して、扉を固定枠体に対して錠止する。そして、この状態から、所定のキー３３１を錠前ユニット３３のロータ３３２に差し込み、ロータ３３２を所定の方向に回動させると、ロータカム３３３が固定ベース３の空間３１０内で所定の倒伏位置の操作ハンドル４の引き起こし方向の回動を規制するロック位置に突出して、操作ハンドル４を完全にロック（施錠）する。また、ロータ３３２を反対方向に回転させると、ロータカム３３３が固定ベース３の空間３１０内で操作ハンドル４の回動を許容するアンロック位置に反転されて、操作ハンドル４のロックが解除（解錠）される。そして、操作ハンドル４を所定の倒伏位置から所定の引き起こし位置へ回転操作することにより、ロックレバー５のフック形状部５１のロック溝５１０が受座２のロック部材５１０から離脱し、カマ形状部５２のロックガイド５２１が受座２のロック部材２３上を摺動しながら離脱して、扉を固定枠体に対して解錠する。
【００２３】
図７乃至図１４にこの扉用ハンドル１の動作及び機能を具体的に示している。図７は操作ハンドル４が所定の引き起こし位置にある場合を示しており、この場合、操作ハンドル４は所定の倒伏位置から３４°回動された所定の引き起こし位置に停止され、この状態は、ロックレバー５（フック形状部５１とカマ形状部５２の中間上縁部）と固定ベース３のストッパ３１Ｂ（上部３１３の下面３１３Ｄ）との衝接と、操作ハンドル４のディテントボール３４２、３４２と固定ベース３１のディテント溝３４１ｂ、３４１ｂ（操作ハンドル４を所定の引き起こし位置に位置決めするためのディテント溝３４１ｂ、３４１ｂ）との弾性係合により、保持される。そして、この状態から操作ハンドル４を所定の倒伏位置に向けて少し回動し、図８に示すように、操作ハンドル４を所定の倒伏位置から３０°の位置まで回動させると、ロックレバー５のロックガイド５２１の終端部が受座２のロック部材２３に上部から接触する。引き続き、操作ハンドル４を同方向に回動し、図９に示すように、操作ハンドル４を所定の倒伏位置から２５°の位置まで回動させると、ロックレバー５のロックガイド５２１の終端部が受座２のロック部材２３に上部側から少し後部側に回り込んだ位置で係合する。引き続き、操作ハンドル４を同方向に回動していき、図１０に示すように、操作ハンドル４を所定の倒伏位置から２０°の位置まで回動させると、ロックレバー５のロックガイド５２１の中間部が受座２のロック部材２３上を上部側から少し後部側に回り込んだ位置で摺動していき、ロックレバー５のロック溝５１０をロック部材２３へ係合案内し、併せて扉を固定枠体に呼込んで引き寄せる。この時点で、固定ベース３側のガイドピン３１３ｇが受座２側のガイド穴２１６ｇに近接する。引き続き、操作ハンドル４を同方向に回動していき、図１１に示すように、操作ハンドル４を所定の倒伏位置から１５°の位置まで回動させると、ロックレバー５のロックガイド５２１の始端部が受座２のロック部材２３上を上部側から少し後部側に回り込んだ位置で摺動して、ロックレバー５のロック溝５１０をロック部材２３へ係合案内し、併せて扉を固定枠体に呼込んで引き寄せる。このとき、固定ベース３側のガイドピン３１３ｇが受座２側のガイド穴２１６ｇに挿入される。引き続き、操作ハンドル４を同方向に回動していき、図１２に示すように、操作ハンドル４を所定の倒伏位置から１０°の位置まで回動させると、ロックレバー５のロックガイド５２１とロック溝５１０との（突状の）境界が受座２のロック部材２３上の上部側から少し後部側に回り込んだ位置に達し、ロックレバー４のロック溝５１０をロック部材２３へ係合案内し、扉を固定枠体にさらに呼込んで引き寄せる。このとき、固定ベース３側のガイドピン３１３ｇが受座２側のガイド穴２１６ｇに挿入され、このガイドの係合案内により、固定ベース３を受座２に向けて平行に案内する。そして、引き続き、操作ハンドル４を同方向に回動して、図１３に示すように、操作ハンドル４を所定の倒伏位置まで回動させると、扉を固定枠体に十分に呼込んで引き寄せたうえで、ロックレバー５のロック溝５１０が受座２のロック部材２３上に落とし込まれ、これらロック溝５１０とロック部材２３が完全に係合する。このとき、固定ベース３側のガイドピン３１３ｇが受座２側のガイド穴２１６ｇに挿通され、このガイドの係合により、固定ベース３を受座２に対して所定の位置に（すなわち、上下の位置を合わせて）平行に位置決めする。そして、この状態は、ロックレバー５（フック形状部５１の基部）と固定ベース３の開口上縁部３１５ｕのストッパ３１Ａとの衝接と、操作ハンドル４のディテントボール３４２、３４２と固定ベース３のディテント溝３４１ａ、３４１ａ（操作ハンドル４を所定の倒伏位置に位置決めするためのディテント溝３４１ａ、３４１ａ）との弾性係合により、保持される。この状態から、所定のキー３３１を錠前ユニット３３のロータ３３２に差し込み、ロータ３３２を所定の方向に回動させると、ロータカム３３３が固定ベース３の空間３１０内で所定の倒伏位置の操作ハンドル４の引き起こし方向の回動を規制するロック位置に突出して、操作ハンドル４を完全にロック（施錠）する。さらに、図１４に示すように、固定ベース３と受座２の相互の対向面に設けたロック穴３１７Ｎ、２１７Ｎに南京錠６のかんぬき部分６１を通し、この南京錠６で固定ベース３と受座２の間を施錠することにより、扉の閉状態を確実に保持することができる。なお、扉を固定枠体に対して解錠する動作は、上記の動作と逆になる。
【００２４】
以上説明したように、この扉用ハンドル１では、ロックレバー５を、操作ハンドル４の背面の基端側に略鉤形に突出形成したフック形状部５１と、このフック形状部５１の終端から延び、略鎌形に形成したカマ形状部５２とにより構成し、フック形状部５１に受座２のロック部材２３に係合可能な円弧形状のロック溝５１０を形成し、カマ形状部５２にロック溝５１０から湾曲形状に延び、操作ハンドル４の所定の引き起こし位置から所定の倒伏位置への回転操作により、ロック部材２３上に係合、摺動してロック溝５１０をロック部材２３へ係合案内するとともに、扉を固定枠体に呼込んで引き寄せるロックガイド５２１を設けたので、扉を固定枠体に対して軽く当接させ、又は近接させた状態から（ロックレバー５のロック溝５１０が受座２のロック部材２３に対して近接していなくても）、操作ハンドル４を回動する簡易な操作で、ロックレバー５のロック溝５１０を受座２のロック部材２３に確実に係合案内してロック溝５１０をロック部材２３に係合させるとともに、同時に扉を固定枠体に呼込んで、扉と固定枠体との間に介在されるパッキンを確実に圧縮して、扉を完全に密閉することができる。
【００２５】
また、この扉用ハンドル１の場合、ロックレバー５を操作ハンドル４に一体に形成したので、扉用ハンドル１の装置構成全体を簡易にすることができる。
【００２６】
また、固定ベース３と操作ハンドル４との間にディテント装置３４を設け、操作ハンドル４の所定の倒伏位置及び所定の引き起こし位置で操作ハンドル４を位置決めして、保持するので、操作ハンドル４を所定の倒伏位置及び所定の引き起こし位置に確実に保持することができ、また、操作ハンドル４の操作においてクリック感があり、操作ハンドル４の操作性を向上させることができる。さらに、固定ベース３に、操作ハンドル４の所定の倒伏位置で操作ハンドル４の倒伏方向の回転を規制するストッパ３１Ａを設けたので、操作ハンドル４を所定の倒伏位置で確実に停止させ、ディテント装置３４とともに操作ハンドル４を確実に保持することができる。またさらに、固定ベース３に、操作ハンドル４の所定の引き起こし位置で操作ハンドル４の引き起こし方向の回転を規制するストッパ３１Ｂを設けたので、操作ハンドル４を所定の引き起こし位置で確実に停止させ、ディテント装置３４とともに操作ハンドル４を確実に保持することができる。またさらに、固定ベース３に、操作ハンドル４の所定の倒伏位置で操作ハンドル４の回転をロックする錠前ユニット３３を設けたので、操作ハンドル４を所定の倒伏位置でロックして、扉の閉状態を確実に保持することができる。またさらに、固定ベース３の表面にカバー３２を被せ、固定ベース３とカバー３２を受座２との対向面で固定するので、固定ベース３の外部から取付ねじを見えなくして、見栄えをよくし、掃除をし易くすることができる。
【００２７】
また、ロック部材２３を円筒形のローラ２３２により形成したので、操作ハンドル４の回転操作が滑らかで、特に、扉を密閉するときに、操作ハンドル４の回転操作による扉の呼込みを容易に行え、扉と固定枠体との間のパッキンを十分に圧縮して、扉を確実に密閉することができる。さらに、受座２に前後方向の位置を調整可能に一対のアーム２２、２２を設け、ロック部材２３を各アーム２２、２２の先端間に取り付けたので、一対のアーム２２、２２の突出量を調整して、ロック部材２３を固定枠体において適宜の位置に設置することができる。またさらに、一対のアーム２２、２２をアーム取付部材２２２の凹凸形状と取付ベース２１の凹凸形状とを噛み合わせ、ねじ止めして取付ベース２１に固定するので、ロックレバー５による引張荷重に確実に抗することができる。またさらに、受座２の表面にカバー２４を被せ、受座２とカバー２４を操作ハンドル４の固定ベース３との対向面で固定したので、受座２の外部から取付ねじを見えなくして、見栄えをよくし、掃除をし易くすることができる。
【００２８】
さらに、固定ベース３と受座２の相互の対向面の間に、固定ベース３を受座２に向けて案内し、所定の態様（所定の位置で平行）に位置決めするガイド（ガイドピン３１３ｇ、ガイド穴２１６ｇ）を備えたので、扉を固定枠体に呼込んで引き寄せる際に、固定ベース３を受け座２に確実に対向させることができる。またさらに、固定ベース３と受座２の相互の対向面にそれぞれ、南京錠６のかんぬき部分６１が挿通可能なロック穴３１７Ｎ、２１７Ｎを備えたので、これらのロック穴３１７Ｎ、２１７Ｎに南京錠６のかんぬき部分６１を通し、この南京錠６で固定ベース３と受座２の間を施錠することにより、既述の錠前ユニット３３に代えて、又はこの錠前ユニット３３とともに、扉の閉状態を確実に保持することができる。
【図面の簡単な説明】
【００２９】
【図１】本発明の一実施の形態における扉用ハンドルの一部破断側面図
【図２】同扉用ハンドルの側面断面図
【図３】同扉用ハンドルの受座の右側面図
【図４】同扉用ハンドルの受座の正面図
【図５】同扉用ハンドルの固定ベース、操作ハンドルの正面図
【図６】同扉用ハンドルの固定ベース、操作ハンドル及びロックレバーの一部破断背面図
【図７】同扉用ハンドルの動作例を示し、操作ハンドルを所定の引き起こし位置に停止させた状態を示す側面断面図
【図８】同扉用ハンドルの動作例を示し、操作ハンドルを所定の引き起こし位置から所定の倒伏位置に向けて回動し、ロックレバーのロックガイドを受座のロック部材に上部から接触させた状態を示す側面断面図
【図９】同扉用ハンドルの動作例を示し、操作ハンドルをさらに回動して、ロックレバーのロックガイドを受座のロック部材に係合させ、摺動させた状態を示す側面断面図
【図１０】同扉用ハンドルの動作例を示し、操作ハンドルをさらに回動して、ロックレバーのロックガイドを受座のロック部材上でさらに摺動させた状態を示す側面断面図
【図１１】同扉用ハンドルの動作例を示し、操作ハンドルをさらに回動して、ロックレバーのロックガイドを受座のロック部材上でさらに摺動させて、ロックレバーのロック溝をロック部材へ係合案内し、併せて扉を固定枠体に呼込み引き寄せる状態を示す側面断面図
【図１２】同扉用ハンドルの動作例を示し、操作ハンドルをさらに回動して、ロックレバーのロックガイドとロック溝との（突状の）境界が受座のロック部材に達し、ロックレバーのロック溝をロック部材へ係合案内し、さらに扉を固定枠体に呼込んで引き寄せる状態を示す側面断面図
【図１３】同扉用ハンドルの動作例を示し、操作ハンドルを所定の倒伏位置まで回動して、扉を固定枠体に十分に呼込んで引き寄せ、ロックレバーのロック溝を受座のロック部材上に落とし込み、これらロック溝とロック部材を完全に係合させた状態を示す側面断面図
【図１４】同扉用ハンドルの動作例を示し、操作ハンドルを所定の倒伏位置まで回動して、扉を固定枠体に十分に呼込んで引き寄せ、ロックレバーのロック溝と受座のロック部材を完全に係合させた状態で、固定ベースと受け座との間に南京錠を通し、固定ベースと受け座を南京錠で施錠した状態を示す側面断面図
【符号の説明】
【００３０】
１  扉用ハンドル
２  受座
２１  取付ベース
２１１  本体部
２１２  取付凹部
２１２Ｌ  左側の開口面
２１２Ａ  アーム固定部
２１２Ｒ  右側の開口面
２１２ｈ  ねじ穴
２１３  上部
２１３Ｕ  上面
２１３Ｆ  正面
２１３ｈ  ねじ穴
２１４  下部
２１４Ｄ  下面
２１４Ｆ  正面
２１４ｈ  ねじ穴
２１５  後部
２１５Ｂ  背面
２１５Ｆ  正面
２１６  延長上部
２１６ｇ  ガイド穴
２１７  延長下部
２１７Ｎ  ロック穴
２１８  左側部
２１８Ｆ  正面
２１８Ｂ  背面
２１９  右側部
２１９Ｆ  正面
２１９Ｂ  背面
２２０  凹部
ｈ１、ｈ２  取付穴
Ｓ１  ねじ
Ｓ２  調整ねじ
２２  アーム
２２Ｐ  アームプレート
２２１  軸受
２２２  アーム取付部材
２２３  支持プレート
２２４  取付プレート
２２５  長穴
２３  ロック部材
２３１  シャフト
２３２  ローラ
２４  カバー
２４１、２４２  固定部
２４１ｈ、２４２ｈ  ねじ挿通穴
３  固定ベース
３１  ベース本体
３１０  空間
３１１  本体部
３１２  前部
３１２Ｂ  背面
３１２Ｆ  正面
３１３  上部
３１３Ｄ  下面
３１３Ｕ  上面
３１３Ｂ  背面
３１３ｈ  ねじ穴
３１３ｇ  ガイドピン
３１４  下部
３１４Ｕ  上面
３１４Ｂ  背面
３１４ｈ  ねじ穴
３１４Ｄ  下面
３１５  開口
３１５ｕ  開口上縁部
３１５ｄ  開口下縁部
３１６  開口
３１７  延長下部
３１７Ｎ  ロック穴
３１７Ｂ  背面
３１８  左側部
３１８Ｕ  上部
３１８Ｃ  上下方向中間部
３１８Ｄ  下部
３１Ｌ  左側の開口面
３１９  右側部
３１９Ｕ  上部
３１９Ｃ  上下方向中間部
３１９Ｄ  下部
３１Ｒ  右側の開口面
３２０  凹部
ｈ３、ｈ４  取付穴
３０Ｂ  軸受
Ｓ３  ねじ
３１Ａ  ストッパ
３１Ｂ  ストッパ
３２  カバー
３２１  固定部
３２１ｈ  ねじ挿通穴
３３  錠前ユニット
３３０  貫通穴
３３１  キー
３３２  ロータ
３３３  ロータカム
３４  ディテント装置
３４１ａ、３４１ｂ  ディテント溝
３４２  ディテントボール
３４３  ディテントスプリング
４  操作ハンドル
４１  主軸
５  ロックレバー
５１  フック形状部
５１０  ロック溝
５１１  貫通穴
５２  カマ形状部
５２１  ロックガイド
６  南京錠
６１  かんぬき部分
【図１】
0005198895.tif 000002
【図２】
0005198895.tif 000003
【図３】
0005198895.tif 000004
【図４】
0005198895.tif 000005
【図５】
0005198895.tif 000006
【図６】
0005198895.tif 000007
【図７】
0005198895.tif 000008
【図８】
0005198895.tif 000009
【図９】
0005198895.tif 000010
【図１０】
0005198895.tif 000011
【図１１】
0005198895.tif 000012
【図１２】
0005198895.tif 000013
【図１３】
0005198895.tif 000014
【図１４】
0005198895.tif 000015